(57)【要約】      （修正有）【課題】全体的な操作の機能性と安全性を向上させられるデジタル安全モニター構造を提供する。【解決手段】デュプリケートユニット３０はコントロールセンター１０のもう一つの端と電気的に連接し、デュプリケートユニット３０はロボットアーム３１、少なくとも２個のデュプリケーター３２、光ディスクセットエリア３３を備え、少なくとも２個のデュプリケーター３２と光ディスクセットエリア３３はロボットアーム３１の傍らの適当な位置に設置し、これによりロボットアーム３１は光ディスクを取ってセットし、少なくとも２個のデュプリケーター３２により光ディスクを連続してコピーし、ビデオカメラ２０からの録画データは即時にコピーされ、録画データのコピーを間断なく行い、録画データの保存時間を延長し、録画データの改ざんを防止し、ファイル管理と随時再生の利便性を高め、必要に応じて従来のハードディスク保存を組合せることもできる。【選択図】図１
0003164078.tif 000002
【実用新案登録請求の範囲】
【請求項１】
コントロールセンター、少なくとも１個のビデオカメラ、デュプリケートユニットを備え、
前記少なくとも１個のビデオカメラは、前記コントロールセンターと電気的に連接し、
前記デュプリケートユニットは、前記コントロールセンターのもう一つの端と電気的に連接し、前記デュプリケートユニットは、ロボットアーム、少なくとも２個のデュプリケーター、光ディスクセットエリアを備え、
前記少なくとも２個のデュプリケーターと前記光ディスクセットエリアは、前記ロボットアームの傍らに設置し、これにより前記ロボットアームは光ディスクを取ってセットし、前記少なくとも２個のデュプリケーターにより光ディスクを連続してコピーすることを特徴とするデジタル安全モニター構造。
【請求項２】
前記光ディスクセットエリア一端には、複数のサポート棒により取り囲むコピー待機エリアを設置し、
前記光ディスクセットエリアの反対端には、１本の定位棒を備えるコピー完成光ディスク保管エリアを設置することを特徴とする請求項１に記載のデジタル安全モニター構造。
【請求項３】
前記コントロールセンターはさらに、ハードディスクを電気的に連接することを特徴とする請求項１に記載のデジタル安全モニター構造。
【考案の詳細な説明】
【技術分野】
【０００１】
本考案はデジタル安全モニター構造に関し、特にコントロールセンター、少なくとも１個のビデオカメラ、デュプリケートユニットによる組合せ設計で、ビデオカメラが録画したデータを即時コピーし、録画データのコピーを継続し、録画データの保存時間を延長し、ファイル管理と随時再生に便利である等の効果を備えるデジタル安全モニター構造に関する。
【背景技術】
【０００２】
現在市販されている従来のデジタル安全モニター構造は、コントロールセンター、少なくとも１個のビデオカメラ、ハードディスクにより組成する。
少なくとも１個のビデオカメラとハードディスクは、それぞれコントロールセンターと電気的に連接し、使用場所の安全をモニターする。
【０００３】
上記した従来のデジタル安全モニター構造は、安全をモニターする効果を備えてはいるが、一般のハードディスクの保存容量には限界があるため、映像ファイルがハードディスクの保存容量を超えれば、上書きされてしまう。
そのため、比較的古い映像データをチェックする必要がある場合に、既に存在しない、ということも有り得る。
また、バックアップの過程において、映像ファイルに不当な改ざん、削除が行われ、映像データの保全性と機能性に悪影響を及ぼすこともあり、しかも録画ファイルはファイル管理に便利ではない。
よって、実際の使用において、使用者のニーズを満たしていない。
本考案は、従来のデジタル安全モニター構造の上記した欠点に鑑みてなされたものである。
【考案の概要】
【考案が解決しようとする課題】
【０００４】
本考案が解決しようとする第一の課題は、コントロールセンター、少なくとも１個のビデオカメラ、デュプリケートユニットの組み合わせ設計で、デュプリケートユニットはロボットアーム、少なくとも２個のデュプリケーター、光ディスクセットエリアを備え、少なくとも２個のデュプリケーターと光ディスクセットエリアはロボットアームの傍らに設置し、これによりロボットアームは光ディスクを取ってセットし、少なくとも２個のデュプリケーターにより光ディスクを連続してコピーし、光ディスクに直接コピーして保存するため、映像ファイルのバックアップ過程における、映像モニター内容の改ざん、削除、破壊を防止可能で、しかも録画データの保存時間を大幅に延長でき、古い映像ファイルが上書きされてしまうという状況を回避でき、光ディスクを主要なコピー保存メディアとすることで、全体的な操作の機能性と安全性を向上させられるデジタル安全モニター構造を提供することである。
本考案が解決しようとする第二の課題は、デュプリケートユニットはロボットアーム、少なくとも２個のデュプリケーター、光ディスクセットエリアを備え、少なくとも２個のデュプリケーターと光ディスクセットエリアはロボットアームの傍らに設置し、１台のデュプリケーターが作動状態である時には、ロボットアームは先に空白の光ディスクを他のデュプリケーター中にセットし、デュプリケーターの作業が完成すると、映像はもう１台のデュプリケーターにより継続してコピーされ、映像の録画は中断されず、こうして本考案の全体的な機能とデータの連続性を確保することができるデジタル安全モニター構造を提供することである。
本考案が解決しようとする第三の課題は、コントロールセンターはさらにハードディスクを電気的に連接することができ、従来の映像モニターシステムを組み合わせることができ、本考案にもう一つのデータ保存メディアを提供し、全体的な機能性と拡充性を増大させ、最大の効果を発揮させることができるデジタル安全モニター構造を提供することである。
本考案が解決しようとする第四の課題は、デュプリケートユニットは、離れた安全な場所に設置することができるため、コピー後の光ディスクを担当者によってのみ保管することとし、こうして映像ファイルデータの悪意による破壊、改ざん、毀損のリスクを回避することができ、本考案の全体的な機能性とデータの完璧性を確保することができるデジタル安全モニター構造を提供することである。
【課題を解決するための手段】
【０００５】
上記課題を解決するため、本考案は下記のデジタル安全モニター構造を提供する。
デジタル安全モニター構造は、コントロールセンター、少なくとも１個のビデオカメラ、デュプリケートユニットを備え、
該少なくとも１個のビデオカメラは、該コントロールセンターと電気的に連接し、
該デュプリケートユニットは、該コントロールセンターのもう一つの端と電気的に連接し、該デュプリケートユニットは、ロボットアーム、少なくとも２個のデュプリケーター、光ディスクセットエリアを備え、
該少なくとも２個のデュプリケーターと該光ディスクセットエリアは、該ロボットアームの傍らに設置し、これにより該ロボットアームは光ディスクを取ってセットし、該少なくとも２個のデュプリケーターにより光ディスクを連続してコピーし、
これにより、映像ファイル内容のバックアップ過程における、映像モニター内容の改ざん、削除を防止可能で、録画データの保存時間を延長でき、映像ファイルデータの悪意による破壊、改ざん、或いは毀損のリスクを回避することができ、コピー後の光ディスク映像ファイルの管理が便利で、従来のハードディスク保存を組み合わせて使用することもでき、全体的な実用性、機能性、安全性を向上させることができる。
【考案の効果】
【０００６】
本考案のデジタル安全モニター構造は、コントロールセンター、少なくとも１個のビデオカメラ、デュプリケートユニットによる組合せ設計で、ビデオカメラが録画したデータを即時コピーし、録画データのコピーを継続し、録画データの保存時間を延長し、ファイル管理と随時再生に便利である等の効果を備える。
【図面の簡単な説明】
【０００７】
【図１】本考案実施例の立体外観図である。
【図２】本考案実施例のブロックチャートである。
【図３】本考案実施例において、デュプリケートユニットの上視動作表示図である。
【図４】本考案実施例において、デュプリケートユニットの側視動作表示図である。
【考案を実施するための形態】
【０００８】
以下に図面を参照しながら本考案を実施するための最良の形態について詳細に説明する。
【０００９】
図１〜４に示すように、本考案デジタル安全モニター構造は、コントロールセンター１０、少なくとも１個のビデオカメラ２０、デュプリケートユニット３０を備える。
【００１０】
コントロールセンター１０は、本考案のオン/オフ、操作モード、及び入力方式記録システムを通したコピーの開始/終了時間、及び他の関連情報を制御する。
少なくとも１個のビデオカメラ２０は、コントロールセンター１０と電気的に連接する。
【００１１】
デュプリケートユニット３０は、コントロールセンター１０のもう一つの端と電気的に連接する。
デュプリケートユニット３０は、ロボットアーム３１、少なくとも２個のデュプリケーター３２、光ディスクセットエリア３３を備える。
少なくとも２個のデュプリケーター３２と光ディスクセットエリア３３は、ロボットアーム３１の傍らに設置する。
これにより、ロボットアーム３１は光ディスクを取ってセットし、少なくとも２個のデュプリケーター３２により光ディスクを連続してコピーすることができる。
光ディスクセットエリア３３一端には、複数のサポート棒３３１により取り囲むコピー待機エリアを設置する。
光ディスクセットエリア３３の反対端には、１本の定位棒３３２を備えるコピー完成光ディスク保管エリアを設置する。
【００１２】
上記した構造により構成するデジタル安全モニター構造は、図１〜４に示すように、コントロールセンター１０、少なくとも１個のビデオカメラ２０、デュプリケートユニット３０の組合せ設計により、少なくとも２個のデュプリケーター３２と光ディスクセットエリア３３をロボットアーム３１傍らに設置することで、ロボットアーム３１により光ディスクを取ってセットし、少なくとも２個のデュプリケーター３２により光ディスクに連続してコピーすることができる。
【００１３】
本考案の実際の操作時には、使用者は手動で、光ディスクセットエリア３３一端に設置する複数のサポート棒３３１で取り囲むコピー待機エリアに、空白の光ディスクを予め補充する。
録画前、ロボットアーム３１は、空白の光ディスクを、少なくとも２個のデュプリケーター３２中に自動でセットする。
録画が始まると、モニター映像を第一デュプリケーター３２中に自動でコピーする。
光ディスクのコピーが完成すると、第二デュプリケーター３２は即時にコピーを引き継ぐ。
続いて、ロボットアーム３１は、コピーが完了した光ディスクを取り出し、コピー完成光ディスク保管エリアに送り、定位棒３３２に嵌める。
ロボットアーム３１は空白の光ディスクをさらに取り、第一デュプリケーター３２中にセットし、第二デュプリケーター３２のコピーが完成すると、同様のコピー作業のプロセスを繰り返す。
【００１４】
こうして、少なくとも２個のデュプリケーター３２の連続コピーを行うことができ、これにより本考案は最良のデジタル安全モニターを備え、録画データの保存時間を延長でき、ファイル管理の便を図ることができる。
こうして、全体的な実用性、安全性、機能性を向上させることができる。
【００１５】
また、コントロールセンター１０は同時に、従来の映像モニターシステムを組み合わせることもできる。
この場合には、ハードディスク４０を電気的に連接することで、本考案はデータ保存のメディアを増やし、全体的な機能性と拡充性を増大させ、最大の効果を発揮させることができる。
【００１６】
しかも、デュプリケートユニット３０は、離れた安全な場所に設置することができるため、コピー後の光ディスクを担当者によってのみ保管することとし、こうして映像ファイルデータの悪意による破壊、改ざん、毀損のリスクを回避することができ、本考案の全体的な機能性とデータの完璧性を確保することができる。
さらに、録画データの撮影開始/終了時間、及び関連情報は、直ちに光ディスクの表面にプリントされ、コピー後の光ディスクの映像ファイルを、より便利に管理できるようになる。
【００１７】
上記したように、本考案は最良のデジタル安全モニターを備え、録画データの保存時間を延長でき、ファイル管理の便を図ることができ、従来のハードディスクによる保存を組み合わせることができる。
こうして、全体的な実用性、安全性、機能性、利便性を向上させることができる。
【００１８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１９】
本考案は実用新案の要件である新規性を備え、従来の同類製品に比べ十分な進歩を有し、実用性が高く、社会のニーズに合致しており、産業上の利用価値は非常に大きい。
【符号の説明】
【００２０】
１０  コントロールセンター
２０  ビデオカメラ
３０  デュプリケートユニット
３１  ロボットアーム
３２  デュプリケーター
３３  光ディスクセットエリア
３３１  サポート棒
３３２  定位棒
４０  ハードディスク
【図１】
0003164078.tif 000003
【図２】
0003164078.tif 000004
【図３】
0003164078.tif 000005
【図４】
0003164078.tif 000006